(57)【特許請求の範囲】
【請求項１】
一対の成形型と、該一対の成形型のいずれか一方に取付けられ、それらの開閉方向と交差する方向にスライドするスライドコアとから成り、  該スライドコアには、インサート体の突出部となる部分を挿入セットするための挿入セット孔がキャビティ成形面に開口し、かつ、前記スライドする方向に沿って形成され、
前記スライドコアの挿入セット孔に前記インサート体の突出部となる部分を挿入セットさせた状態で、前記一対の成形型と前記スライドコアとで形成されるキャビティに溶融樹脂を射出して、前記インサート体の少なくとも一部が外部に突き出した形態で成形品本体にインサート成形された成形品を射出成形する装置であって、
前記スライドコアを、その後退端位置において挿入セット孔が前記一対の成形型の開閉方向にほぼ沿うように回動させるための回動手段を備え、
前記回動手段は、スライドコアをスライド可能に支持するためのスライド支持台と、前記スライド支持台を回動させるための駆動モータとから成り、
前記スライドコアは、その後退端位置において、駆動モータにより正逆方向に回動する構成であることを特徴とする一部突出インサート体を備えた成形品の射出成形装置。
【請求項２】
旋回テーブルに同一構成の複数の固定型が、旋回軸を中心とする同一円周上に周方向に設けられて、前記旋回軸を中心にして旋回可能な固定型ユニットと、該固定型ユニットの射出成形位置に位置する固定型に対して開閉する単一の可動型とから成り、
前記固定型ユニットの各固定型には、前記可動型の開閉方向と交差する方向にスライドするスライドコアがそれぞれ設けられて、
前記スライドコアは、インサート体の突出部となる部分を挿入セットするための挿入セット孔がキャビティ成形面に開口し、かつ、前記スライドする方向に沿う挿入セット孔を備え、しかも、その後退端位置において、回動手段により前記挿入セット孔が前記可動型の開閉方向にほぼ沿うように回動可能に支持され、
前記回動手段は、スライドコアをスライド可能に支持するためのスライド支持台と、前記スライド支持台を回動させるための駆動モータとから成って、前記スライドコアは、その後退端位置において、駆動モータにより正逆方向に回動する構成であり、
前記固定型ユニットを構成する複数の固定型のうち、射出成形位置に位置する特定の固定型に設けられたスライドコアの挿入セット孔にインサート体の突出部となる部分を挿入セットした状態で、前記特定の固定型、前記可動型及び前記スライドコアとで形成されるキャビティに溶融樹脂を射出させて、前記インサート体の少なくとも一部が外部に突き出した形態で成形品本体にインサート成形された成形品の射出成形作業と、
前記固定型ユニットを構成する複数の固定型のうち、インサート体の挿入セット位置に位置する固定型に設けられたスライドコアを回動させて、その挿入セット孔にインサート体を挿入セットする作業と、
を同時に行えるようにしたことを特徴とする一部突出インサート体を備えた成形品の射出成形装置。
【発明の詳細な説明】
【０００１】
【発明の属する技術分野】
本発明は、一対の成形型と、該一対の成形型のいずれか一方に取付けられ、インサート体を挿入セットした状態で前記一対の成形型の開閉方向と交差する方向にスライドするスライドコアとから成る射出成形装置を使用して、一部突出インサート体を備えた成形品の射出成形装置に関するものである。
【０００２】
【従来の技術】
射出成形装置は、一対の成形型を閉じて形成されたキャビティに溶融樹脂を射出し、その後、前記一対の成形型を開いて成形品を排出する。この射出成形において、予め、スライドコアに別部材（インサート体）を装填させておき、該インサート体を組み込んで射出成形する成形方法が存しており、「インサート成形」と称されている。
【０００３】
例えば、図１３の（イ),（ロ）に示される成形品Ｑ（自動車部品）は、樹脂から成る成形本体部１（溶融樹脂Ｗが固化して形成される部分）に、金属より成るねじ軸Ｂ（バルブ）を斜めの状態で組み込み、しかも、その一部（フランジ部２とねじ軸本体部３）を、前記成形本体部１から突き出した形態で一体成形したものである。最初に、ねじ軸Ｂについて説明する。このねじ軸Ｂは、オイルシール（図示せず）が装着されるフランジ部２に対して、一方側に延設されたねじ軸本体部３と、該ねじ軸本体部３と軸心同一にして他方側に延設された抜止部４とから成る。前記ねじ軸本体部３は、先細となった段付き軸の形状を呈していて、２つの円筒部５a,５b と、２つの雄ねじ部６a,６b が交互に設けられている。また、前記抜止部４は、段付き状態（アンダーカット状態）となっていて、そのくびれ部分４ａに溶融樹脂Ｗが入り込んで固化されることにより、成形本体部１からねじ軸Ｂが抜け出ないようになっている。そして、このねじ軸Ｂの軸心の部分には、エアを通すためのエア通し孔７が設けられている。
【０００４】
次に、成形本体部１の構成について説明する。この成形本体部１は、平面視において略平板状であり、その内側には、別部材（図示せず）を装填させるための空間部８が、下面に臨む部分を開口させた状態で形成されている。前記成形本体部１の一端面は、ねじ軸Ｂのフランジ部２の一端面と、斜めの状態で接合されている。このため、ねじ軸Ｂにおける抜止部４の全体が、成形本体部１に埋設されている。また、成形本体部１において、ねじ軸Ｂの抜止部４に臨む部分には、該ねじ軸Ｂのエア通し孔７と成形本体部１の外部とを連通させるための連通孔９が設けられている。
【０００５】
この成形品Ｑを射出成形（インサート成形）する場合、例えば、図１４及び図１５に示される射出成形装置Ａ’が使用される。この射出成形装置Ａ’は、成形品Ｑの成形本体部１に対応するキャビティ成形面１１が形成されると共に、傾斜ピン１２が斜めに突出された第１成形型Ｋa'（可動型）と、前記第１成形型Ｋa'に相対向して配設され、成形品Ｑの空間部８に対応するコア部１３が、上面（パーティング面）に突設された第２成形型Ｋb'（固定型）とから成る。前記第２成形型Ｋb'におけるコア部１３の側方の部分は斜めに切除されていて、当該部分に配設されるスライドコアＳ’のスライドを案内するための傾斜ガイド面１４が形成されている。このスライドコアＳ’には、ねじ軸Ｂを挿入してセットさせるための挿入セット孔１５が、第１成形型Ｋa'のキャビティ成形面１１に向かって開口して設けられていると共に、前記傾斜ピン１２と対応する位置に、該傾斜ピン１２を入り込ませるための傾斜ピン挿通孔１６が、前記傾斜ピン１２の傾斜方向と平行にして設けられている。このスライドコアＳ’は、第１及び第２の各成形型Ｋa'，Ｋb'が、開閉方向Ｐ1 に沿って接近・離隔されるとき、前記傾斜ピン１２の作用により、傾斜ガイド面１４上を、スライド方向Ｐ2 に沿ってスライドされる。即ち、一対の成形型Ｋa'，Ｋb'が相互に接近されると、スライドコアＳ’の傾斜ピン挿通孔１６に入り込んだ傾斜ピン１２が、前記スライドコアＳ’をスライド方向Ｐ2 に沿って押し上げる。そして、一対の成形型Ｋa'，Ｋb'が閉じられたとき、各成形型Ｋa'，Ｋb'とスライドコアＳ’の前端面１７（キャビティ成形面１１に臨む面）とにより、キャビティＣが形成される。
【０００６】
図１４に示されるように、射出ノズル１８から射出された溶融樹脂Ｗは、スプルー１９、各ランナ２１a,２１b 、ゲート２２を通ってキャビティＣに供給される。この溶融樹脂Ｗが冷却して固化すると、ねじ軸Ｂの抜止部４を組み込み、かつ、フランジ部２とねじ軸本体部３とを外部に突き出した成形品Ｑが成形される。
【０００７】
図１５に示されるように、一対の成形型Ｋa'，Ｋb'を離隔させると、スライドコアＳ’は、傾斜ピン１２の作用と自重により、第２成形型Ｋb'の傾斜ガイド面１４に沿って下降する。こうすることによって、成形品ＱとスライドコアＳ’とが分離される。そして、プッシュピン２３を突出させて、成形品Ｑを第２成形型Ｋb'から離型させて排出する。
【０００８】
上記した射出成形装置Ａ’では、前記ねじ軸Ｂは、予め、スライドコアＳ’の挿入セット孔１５に挿入される。作業の効率化を図るため、ねじ軸Ｂの挿入作業を、ロボット等により自動で行わせることが想定される。そのために、スライドコアＳ’の前方に、大きな挿入空間部Ｖを設けなければならない。その結果、一対の成形型Ｋa'，Ｋb'が離隔したときの間隔を大きくしなければならなくなり、１個の成形品Ｑを成形するためのサイクルタイムが長くなってしまう。しかも、スライドコアＳ’の挿入セット孔１５が斜めに設けられていて、該ねじ軸Ｂを、水平面に対して斜めの状態で挿入させなければならない。また、前記ねじ軸Ｂを、前記挿入セット孔１５に対してずれたりすることなく、確実に挿入セットさせなければならない。このため、ロボットのハンド４４（図６参照）の構成が複雑になる。更に、スライドコアＳ’の前方には、コア部１３が存している。このため、前記ロボットのハンド４４の動きも複雑になる。上記した結果、ねじ軸Ｂの挿入セット作業を人手によって行わざるを得ず、作業効率が悪い。
【０００９】
上記した不具合を解消するため、前記スライドコアＳ’を２分割させることが想定される。しかし、射出成形装置Ａ’の構成が極めて複雑なものになってしまう。
【００１０】
【発明が解決しようとする課題】
本発明は、上記した不具合に鑑み、スライドコアにインサート体を挿入セットする作業が、容易にできるようにすることを課題としている。
【００１１】
【課題を解決するための手段】
上記課題を解決するための請求項１に記載の発明は、一対の成形型と、該一対の成形型のいずれか一方に取付けられ、それらの開閉方向と交差する方向にスライドするスライドコアとから成り、該スライドコアには、インサート体の突出部となる部分を挿入セットするための挿入セット孔がキャビティ成形面に開口し、かつ、前記スライドする方向に沿って形成され、前記スライドコアの挿入セット孔に前記インサート体の突出部となる部分を挿入セットさせた状態で、前記一対の成形型と前記スライドコアとで形成されるキャビティに溶融樹脂を射出して、前記インサート体の少なくとも一部が外部に突き出した形態で成形品本体にインサート成形された成形品を射出成形する装置であって、前記スライドコアを、その後退端位置において挿入セット孔が前記一対の成形型の開閉方向にほぼ沿うように回動させるための回動手段を備え、前記回動手段は、スライドコアをスライド可能に支持するためのスライド支持台と、前記スライド支持台を回動させるための駆動モータとから成り、前記スライドコアは、その後退端位置において、駆動モータにより正逆方向に回動する構成であることを特徴としている。
【００１２】
【００１３】
請求項１に記載の発明では、一対の成形型が開かれ、成形品に組み込まれたインサート体の突出部とスライドコアとが分離されると、後退端位置に配置されたスライドコアが回動される。そして、その挿入セット孔は、前記一対の成形型の開閉方向に沿う。この状態で、前記挿入セット孔にインサート体が挿入セットされる。このとき、スライドコアにおける挿入セット孔の開口部の周囲には、大きな挿入空間部が形成される。このため、前記インサート体をロボットのハンド等により、スライドコアの挿入セット孔の直上まで搬送させることができる。即ち、スライドコアにインサート体を挿入セットする作業を自動化することができ、作業効率が良好である。また、前記インサート体は、ほぼ起立した状態でスライドコアの挿入セット孔に挿入セットされるため、ずれたり傾いたりすることなく、確実に挿入セットされる。この結果、成形時におけるインサート体が確実に位置決めされ、成形品の精度が良好である。また、スライドコアは、駆動モータによって正逆回動される。即ち、前記スライドコアの回動が、プッシュピンの作動から独立して行われるため、一対の成形型が開いたときの間隔を最小にすることができ、成形のサイクルタイムが短くなる。
【００１４】
請求項２に記載の発明は、旋回テーブルに同一構成の複数の固定型が、旋回軸を中心とする同一円周上に周方向に設けられて、前記旋回軸を中心にして旋回可能な固定型ユニットと、該固定型ユニットの射出成形位置に位置する固定型に対して開閉する単一の可動型とから成り、前記固定型ユニットの各固定型には、前記可動型の開閉方向と交差する方向にスライドするスライドコアがそれぞれ設けられて、前記スライドコアは、インサート体の突出部となる部分を挿入セットするための挿入セット孔がキャビティ成形面に開口し、かつ、前記スライドする方向に沿う挿入セット孔を備え、しかも、その後退端位置において、回動手段により前記挿入セット孔が前記可動型の開閉方向にほぼ沿うように回動可能に支持され、前記回動手段は、スライドコアをスライド可能に支持するためのスライド支持台と、前記スライド支持台を回動させるための駆動モータとから成って、前記スライドコアは、その後退端位置において、駆動モータにより正逆方向に回動する構成であり、前記固定型ユニットを構成する複数の固定型のうち、射出成形位置に位置する特定の固定型に設けられたスライドコアの挿入セット孔にインサート体の突出部となる部分を挿入セットした状態で、前記特定の固定型、前記可動型及び前記スライドコアとで形成されるキャビティに溶融樹脂を射出させて、前記インサート体の少なくとも一部が外部に突き出した形態で成形品本体にインサート成形された成形品の射出成形作業と、前記固定型ユニットを構成する複数の固定型のうち、インサート体の挿入セット位置に位置する固定型に設けられたスライドコアを回動させて、その挿入セット孔にインサート体を挿入セットする作業とを同時に行えるようにしたことを特徴としている。
【００１５】
請求項２に記載の発明の射出成形装置では、射出成形位置に配置された特定の固定型と可動型とにより成形品を射出成形する射出成形作業と、インサート体の挿入セット位置に配置された他の固定型に取付けられたスライドコアを回動させて、その挿入セット孔にインサート体を挿入セットさせる作業とが、同時に行われる。即ち、射出成形位置に配置された特定の固定型のスライドコアには、既にインサート体が挿入セットされている。このため、射出成形作業に要する時間が著しく短縮され、成形のサイクルタイムが短くなる。
【００１６】
【００１７】
【００１８】
【発明の実施の形態】
以下、実施形態を挙げて本発明を更に詳細に説明する。なお、従来の技術で説明した部材と同一の部材には同一の符号を付して記載する。図１は参考例の射出成形装置Ａ1 の正面断面図、図２は第２成形型Ｋb1の平面図、図３は同じく側面断面図である。参考例の射出成形装置Ａ1 の全体構成について説明する。図１ないし図３に示されるように、参考例の射出成形装置Ａ1 は、上下に相対向して配設され、開閉方向Ｐ1 に沿って相互に接近・離隔可能な一対の成形型（上側の第１成形型Ｋa1と下側の第２成形型Ｋb1）と、前記第２成形型Ｋb1に配設され、前記開閉方向Ｐ1 と交差する方向（即ち、開閉方向Ｐ1 と平行でないすべての方向を意味し、「スライド方向Ｐ2 」と記載する）にスライドするスライドコアＳ1 とから成る。
【００１９】
図１ないし図３に示されるように、第１及び第２の各成形型Ｋa1，Ｋb1は、スプルー１９に対して左右対称に構成されていると共に、各成形型Ｋa1，Ｋb1における左右の両側には、奥行方向に２つのキャビティ成形面１１と２つのコア部１３とが設けられているため、一度に４個の成形品Ｑを射出成形することができる。即ち、射出ノズル１８から射出された溶融樹脂Ｗは、第１成形型Ｋa1に設けられたスプルー１９を通り、該スプルー１９から４つの方向に振り分けられた各ランナ２１a,２１b 、及びゲート２２を通って各キャビティＣに供給される。各キャビティＣの構成は全く同一であるため、本明細書では、いずれか１つのキャビティＣの部分における射出成形装置Ａ1 の構成と作用について説明する。
【００２０】
最初に、上側の第１成形型Ｋa1について説明する。この第１成形型Ｋa1の下面で、下側の第２成形型Ｋb1と相対向する面（パーティング面）には、成形品Ｑの成形本体部１に対応するキャビティ成形面１１が、前記パーティング面に開口して形成されていると共に、スライドコアＳ1 の上半部を収容するためのスライドコア収容面２４が、前記キャビティ成形面１１と連続して形成されている。そして、スライドコア収容面２４の部分から、傾斜ピン１２が、第１成形型Ｋa1の下方に向けて斜めに突出されている。また、前記キャビティ成形面１１には、一対の成形型Ｋa1，Ｋb1が閉じられたときに、ねじ軸Ｂのエア通し孔７を閉塞すると共に、成形本体部１に連通孔９を形成するための孔閉塞突起体２５が下方に突設されている。
【００２１】
次に、下側の第２成形型Ｋb1について説明する。この第２成形型Ｋb1の上面で、上側の第１成形型Ｋa1と相対向する面（パーティング面）には、前述した第１成形型Ｋa1のパーティング面に設けられたランナ２１ａと対応するランナ２１ｂと、前記ランナ２１ｂとキャビティＣとを接続するためのゲート２２が設けられている。そして、前記ゲート２２の側方には、成形本体部１に空間部８を形成するためのコア部１３が突設されている。前記コア部１３の更に側方の部分は斜めに切除されている。この切除部分には、前記傾斜ピン１２の作用によって押し上げられて、前進端位置に配置されたスライドコアＳ1 の前端面１７を当接させるためのストッパ面２６が形成されていると共に、前記スライドコアＳ1 のスライドを案内するための傾斜ガイド面１４が、前記ストッパ面２６と直交して形成されている。前記傾斜ガイド面１４の側方の部分は、更に下方に切除されていて、スライド支持台２７を設置するためのスライド支持台設置面２８が形成されている。また、前記スライド支持台設置面２８における奥行方向の両側の部分は、スライド支持台設置面２８よりも下方に彫り込まれていて、支持部材設置面２９が設けられている。
【００２２】
スライド支持台２７について説明する。このスライド支持台２７の上面は、横断面視において略三角形状に切除されていて、その傾斜部分に、スライドコアＳ1 のスライドを案内するための傾斜ガイド面２７ａが形成されている。また、その起立部分の内側に、前記傾斜ガイド面２７ａと接続し、後退端位置に配置されたスライドコアＳ1 の後端面３１を当接させて停止させるためのストッパ面２７ｂが形成されている。そして、傾斜ピン１２と対応する部分には、該傾斜ピン１２を通すための傾斜ピン逃し孔２７ｃが設けられている。このスライド支持台２７は、一対の成形型Ｋa1，Ｋb1が閉じている状態（即ち、射出成形が行われている状態）でスライド支持台設置面２８に設置されている。そして、この状態で、スライド支持台２７の傾斜ガイド面２７ａは、第２成形型Ｋb1の傾斜ガイド面１４と連続する同一傾斜面内に配置されている。
【００２３】
前記スライド支持台２７は、その基端部を中心にして、垂直面内で回動可能である。次に、スライド支持台２７の回動手段について説明する。正面視におけるスライド支持台２７の基端部には、第２成形型Ｋb1の奥行方向に沿って回動支点軸３２が挿通されていて、その両端部は、スライド支持台２７の両側面部から突出されている。この回動支点軸３２は、各支持部材設置面２９に立設された一対の支持部材３３により、スライド支持台２７と一体に回動可能に支承されている。また、前記回動支点軸３２において、前記スライド支持台２７の両側面部と前記一対の支持部材３３との間の部分には、それぞれカム板３４が取付けられている。正面視における各カム板３４の基端部は、スライド支持台２７に対して所定の角度で、各キ−３５によって回動支点軸３２と一体に固着されている。同様に、各カム板３４の先端部には、自身の長手方向に沿って長孔３４ａが設けられている。
【００２４】
第２成形型Ｋb1における支持部材設置面２９で、前記一対の支持部材３３の側方の部分には、開閉方向Ｐ1 に沿って各押出ロッド挿通孔３６が設けられている。これらの押出ロッド挿通孔３６には、各押出ロッド３７が、開閉方向Ｐ1 に沿って進退可能に挿通されている。そして、各押出ロッド３７の上端部には、軸直角にして各連結ピン３８が挿通されている。これらの連結ピン３８の先端部は、各カム板３４の長孔３４ａに挿入されている。前記各押出ロッド３７は、図示しない突出手段により、開閉方向Ｐ1 に沿って進退される。各押出ロッド３７が上昇されると、それらの上端部に取付けられた各連結ピン３８も上昇される。そして、各連結ピン３８が、各カム板３４の先端部を押し上げようとする。ところが、各カム板３４の基端部は、キー３５によって回動支点軸３２と一体に取付けられているため、各カム板３４は、回動支点軸３２の軸心を中心に上方に回動させられる。それと同時に、スライド支持台２７も、回動支点軸３２の軸心を中心に上方に回動される。
【００２５】
次に、スライドコアＳ1 について説明する。このスライドコアＳ1 は、横断面視において略五角形状のブロック体であり、スライド支持台２７の傾斜ガイド面２７ａに載置されている。そして、その前端面１７の部分には、キャビティ成形面１１に向かって開口し、ねじ軸Ｂを挿入セットさせるための各挿入セット孔１５が、奥行方向に２箇所に設けられている。また、スライドコアＳ1 において、傾斜ピン１２と対応する部分（傾斜ピン１２の先端部に臨む部分）には、該傾斜ピン１２を挿通させるための傾斜ピン挿通孔１６が、前記傾斜ピン１２の傾斜方向に沿って設けられている。このスライドコアＳ1 は、一対の成形型Ｋa1，Ｋb1の開状態で、その後端面３１をスライド支持台２７のストッパ面２７ｂに当接させている。このため、正面視において、スライドコアＳ1 の底面と後端面３１とが成す角度は、スライド支持台２７の傾斜ガイド面２７ａとストッパ面２７ｂとが成す角度とほぼ同一である。また、このスライドコアＳ1 は、一対の成形型Ｋa1，Ｋb1の閉状態で、その上半部が第１成形型Ｋa1のスライドコア収容面２４に収容されると共に、その前端面１７が第２成形型Ｋb1のストッパ面２６に当接される。
【００２６】
前記スライドコアＳ1 において、ねじ軸Ｂが装填される挿入セット孔１５の深さは、該ねじ軸Ｂにおけるフランジ部２の厚みと、該フランジ部２の一方側に段付き状態で延設されたねじ軸本体部３の長さとの合計とほぼ同一である。また、前記挿入セット孔１５は、前記ねじ軸本体部３における２つの円筒部５a,５b に対応して、段付き状態で設けられている。即ち、挿入セット孔１５における開口側の挿入孔部１５ａの内径は、ねじ軸本体部３における第１円筒部５ａの外径よりも僅かに大きいと共に、底側の挿入孔部１５ｂの内径は、同じく第２円筒部５ｂの外径よりも僅かに大きい。このため、挿入セット孔１５に挿入セットされたねじ軸Ｂは、そのフランジ部２とねじ軸本体部３の全体が、スライドコアＳ1 の挿入セット孔１５に入り込む。そして、前記ねじ軸Ｂの下端面が、挿入セット孔１５の底面に当接した状態でセットされる。この状態で、ねじ軸Ｂは、その抜止部４のみがスライドコアＳ1 の前端面１７から突出されている。更に、前記ねじ軸Ｂは、そのねじ軸本体部３に設けられた各円筒部５a,５b が、挿入セット孔１５の各挿入孔部１５a,１５b に僅かの隙間をもって挿入セットされている。上記した結果、ねじ軸Ｂが、スライドコアＳ1 の挿入セット孔１５に挿入セットされたとき、該ねじ軸Ｂの抜止部４がスライドコアＳ1 から突出する長さが、常に、ほぼ一定になる。また、前記ねじ軸Ｂが傾いてセットされることはない。なお、図１において、符号４１は、第２成形型Ｋb1のスライド支持台設置面２８における傾斜ピン１２の逃し孔である。
【００２７】
このスライドコアＳ1 は、一対の成形型Ｋa1，Ｋb1が開閉されるときに、一直線にスライドされる必要がある。そのため、該スライドコアＳ1 の両側面部には、そのスライド方向Ｐ2 に沿って各突条４２が張出し状態で設けられている。そして、スライド支持台２７において前記各突条４２に対応する部分には、それらを上方から押え付けてガイドするための一対のガイド板４３が取付けられている。これらのガイド板４３は、断面略Ｌ字状であり、各突条４２の上方及び側方に対して、僅かの隙間をもって取付けられている。このため、該スライド支持台２７は、一対のガイド板４３にガイドされ、ほぼ一直線にスライドされる。
【００２８】
次に、図１、図４ないし図６を参照しながら、参考例の射出成形装置Ａ1 の作用について説明する。図１に示されるように、一対の成形型Ｋa1，Ｋb1の閉状態で、射出ノズル１８から溶融樹脂Ｗが射出され、成形品Ｑが成形される。そして、一対の成形型Ｋa1，Ｋb1が、開閉方向Ｐ1 に沿って相互に離隔される。参考例の場合、上側の第１成形型Ｋa1に対して、下側の第２成形型Ｋb1が下降する。このとき、図４に示されるように、スライドコアＳ1 は、自重と第１成形型Ｋa1に取付けられた傾斜ピン１２の作用とにより、第２成形型Ｋb1の傾斜ガイド面１４上、及びスライド支持台２７の傾斜ガイド面２７ａ上を滑りながら、スライド方向Ｐ2 に沿って後退する。そして、前記スライドコアＳ1 から傾斜ピン１２が抜き取られ、該スライドコアＳ1 はその後端面３１を、スライド支持台２７のストッパ面２７ｂに当接させて停止する。即ち、スライドコアＳ1 は、後退端位置に配置される。このようにして、成形本体部１と一体に射出成形されたねじ軸Ｂのフランジ部２及びねじ軸本体部３が、スライドコアＳ1 の挿入セット孔１５から抜き取られる。
【００２９】
そして、図５に示されるように、第１成形型Ｋa1に取付けられた傾斜ピン１２が、スライドコアＳ1 の傾斜ピン挿通孔１６から完全に抜き取られ、一対の成形型Ｋa1，Ｋb1の間に十分な間隔が形成される。続いて、図示しない突出手段を作動させて、押出ロッド３７を前進（上昇）させて、スライド支持台２７を回動させる。このとき、前記押出ロッド３７と同期させて、プッシュピン２３も前進させる。第２成形型Ｋb1のコア部１３に保持されていた成形品Ｑは、前記プッシュピン２３により、前記第２成形型Ｋb1から離型されて排出される。
【００３０】
次に、押出ロッド３７が突き出されることによって、スライド支持台２７が回動されるときの作用について詳細に説明する。図１及び図６に示されるように、押出ロッド３７が前進すると、その上端部に取付けられた連結ピン３８が、カム板３４の先端部を押し上げようとする。ところが、カム板３４の基端部は、キー３５によって回動支点軸３２と一体に取付けられているため、前記カム板３４は、回動支点軸３２の軸心を中心に上方に回動される。このとき、前記連結ピン３８は、対応するカム板３４の長孔３４ａに沿って移動する。それに伴い、スライド支持台２７も、スライドコアＳ1 を載置したまま、回動支点軸３２の軸心を中心として上方に回動される。このようにして、押出ロッド３７の直線運動が、カム板３４を介してスライド支持台２７の回動運動に変換される。上方に回動されるスライドコアＳ1 は、起立状態（即ち、その前端面１７が、ほぼ水平になった状態）となって停止する。このとき、スライドコアＳ1 の前端面１７の周囲には、ねじ軸Ｂを挿入セットさせるための大きな挿入空間部Ｖが形成される。また、前記スライドコアＳ1 は、その両側面に取付けられた各突条４２が、対応するガイド板４３に嵌まり込んでいるため、該スライドコアＳ1 がスライド支持台２７から落下するおそれはない。
【００３１】
続いて、図６に示されるように、ロボットのハンド４４によって、抜止部４のくびれ部分４ａが支持されたねじ軸Ｂが搬送され、前記挿入空間部ＶにおけるスライドコアＳ1 の挿入セット孔１５の直上に配置される。そして、そのまま下降され、ねじ軸Ｂにおけるねじ軸本体部３が、挿入セット孔１５に挿入される。該ねじ軸Ｂは、その下端面が、挿入セット孔１５の底面に当接されると共に、その各円筒部５a,５b が、挿入セット孔１５の対応する挿入孔部１５a,１５b に僅かな隙間をもって配置される。このようにして、前記ねじ軸Ｂは、そのフランジ部２とねじ軸本体部３が挿入セット孔１５に挿入され、その抜止部４が外方に突き出された状態でセットされる。こうすることによって、スライドコアＳ1 におけるねじ軸Ｂの軸方向の位置と周方向の位置が、高精度に定められる。
【００３２】
前記押出ロッド３７を後退（下降）させ、スライド支持台２７を、スライドコアＳ1 を載置させたまま反対方向（逆方向）に回動させる。このときの作用は、上記した作用とまったく反対である。スライド支持台２７が、スライド支持台設置面２８に設置される。そして、一対の成形型Ｋa1，Ｋb1を相互に接近させる。第１成形型Ｋa1に取付けられた傾斜ピン１２が、徐々にスライドコアＳ1 の傾斜ピン挿通孔１６に入り込み、該スライドコアＳ1 を、スライド方向Ｐ2 に沿って押し上げる。一対の成形型Ｋa1，Ｋb1が閉じられたとき、前記スライドコアＳ1 の前端面１７は、第２成形型Ｋb1のストッパ面２６に当接された状態で保持される。即ち、スライドコアＳ1 は、前進端位置に配置されている。また、スライドコアＳ1 の上半部は、第１成形型Ｋa1のスライドコア収容面２４に収容される。このとき、一対の成形型Ｋa1，Ｋb1の間には、第１成形型Ｋa1のキャビティ成形面１１と、第２成形型Ｋb1のコア部１３と、スライドコアＳ1 の前端面１７とによってキャビティＣが形成される。そして、ねじ軸Ｂは、その抜止部４のみがキャビティＣ内に入り込んでいる。しかも、第１成形型Ｋa1のキャビティ成形面１１に設けられた孔閉塞突起体２５の側面部が、対向配置されるねじ軸Ｂの抜止部４の前端面に接合される。このため、ねじ軸Ｂのエア通し孔７が閉塞される。
【００３３】
この状態で、図１に示されるように、射出ノズル１８から溶融樹脂Ｗを射出する。スプルー１９、各ランナ２１a,２１b 及びゲートを通ってキャビティＣに供給された溶融樹脂Ｗは、冷却されて成形本体部１を形成すると共に、ねじ軸Ｂの抜止部４のくびれ部分４ａにも回り込んで固化される。このため、成形本体部１とねじ軸Ｂは、強固に一体成形される。しかも、ねじ軸Ｂのエア通し孔７は、孔閉塞突起体２５によって閉塞されている。このため、ねじ軸Ｂのエア通し孔７に溶融樹脂Ｗが入り込むおそれはない。また、ねじ軸Ｂのねじ軸本体部３は、スライドコアＳ1 の挿入セット孔１５に挿入されているため、溶融樹脂Ｗが入り込むことはない。溶融樹脂Ｗが固化した後、一対の成形型Ｋa1，Ｋb1を開くと、ねじ軸Ｂにおけるねじ軸本体部３を突き出した成形品Ｑが成形される。
【００３４】
上記したように、参考例の射出成形装置Ａ1 では、一対の成形型Ｋa1，Ｋb1が開いた状態でスライドコアＳ1 を回動させて起立状態にさせることにより、スライドコアＳ1 の前端面１７の周辺に大きな挿入空間部Ｖを形成することができる。このため、前記挿入空間部Ｖにロボットのハンド４４等を配置させることもでき、ねじ軸Ｂを、スライドコアＳ1 に自動で挿入セットさせることができる。また、挿入セット孔１５の開口された前端面１７をほぼ水平に配置させることができるため、前記ロボットのハンド４４によって搬送されたねじ軸Ｂを、そのまま下降させるだけで済み、該ねじ軸Ｂを挿入セット孔１５に確実に挿入セットさせることができる。更に、ロボットのハンド４４の動きも単純なもので済むため、その制御が容易である。
【００３５】
次に、本発明の実施形態の射出成形装置Ａ2 について説明する。図７は本発明の実施形態の射出成形装置Ａ2 の正面断面図、図８は第２成形型Ｋb2の平面図、図９は同じく側面断面図である。この射出成形装置Ａ2 は、参考例の射出成形装置Ａ1 が、押出ロッド３７の進退によりスライドコアＳ1 を回動させる構成であるのに対し、駆動モータ（油圧モータＭ）によってスライドコアＳ2 を回動させる構成である。ねじ軸Ｂ及び成形品Ｑは、参考例の場合と同一である。このため、参考例の射出成形装置Ａ1 を構成する部材と同一の部材には同一の符号を付し、異なる部分についてのみ説明する。
【００３６】
図７ないし図９に示されるように、この射出成形装置Ａ2 を構成する上側の第１成形型Ｋa2は、射出成形される成形品Ｑの数が一工程で２個である（スプルー１９の軸心に対して左右対称である）ことと、傾斜ピン１２が存しないことを除いて、参考例の射出成形装置Ａ1 を構成する第１成形型Ｋa1と全く同一である。
【００３７】
次に、下側の第２成形型Ｋb2について説明する。参考例における第２成形型Ｋb1と同様に、第２成形型Ｋb2の上面（パーティング面）には、成形品Ｑに空間部８を形成するためのコア部１３が突設されていて、その側方の斜めに切除された部分には、油圧モータＭの作用によって押し上げられて、前進端位置に配置されたスライドコアＳ2 の前端面４５を当接させるためのストッパ面２６と、前記スライドコアＳ2 のスライドを案内するための傾斜ガイド面１４が、前記ストッパ面２６と直交して形成されている。前記傾斜ガイド面１４の側方の部分は、更に下方に切除されていて、スライド支持台４６を設置するためのスライド支持台設置面４７が設けられている。
【００３８】
前記スライド支持台４６について説明する。このスライド支持台４６の上面は、横断面視において略三角形状に切除されていて、傾斜部分に、スライドコアＳ2 の移動を案内するための傾斜ガイド面４６ａが形成されている。また、その起立部分の内側に、前記傾斜ガイド面４６ａと接続し、後退端位置に配置されたスライドコアＳ2 の後端面４８を当接させて停止させるためのストッパ面４６ｂが形成されている。また、前記傾斜ガイド面４６ａの幅方向のほぼ中央部には、スライドコアＳ2 のスライド方向Ｐ2 に沿って、断面Ｔ字状のガイド部材４９が取付けられている。
【００３９】
正面視におけるスライド支持台４６のほぼ中央部には、その幅方向（第２成形型Ｋb2の奥行方向）に沿って軸挿通孔５１が設けられていて、該軸挿通孔５１に回動支点軸５２が挿通されている。この軸挿通孔５１の内径は、前記回動支点軸５２の外径よりも僅かに大きい。このため、前記回動支点軸５２は、前記スライド支持台４６に対して自由回転される。また、前記回動支点軸５２の両端部は、スライド支持台４６の両側面部から突出されている。
【００４０】
この回動支点軸５２は、スライド支持台設置面４７に立設された一対の支持部材５３により、回動可能に支承されている。また、前記回動支点軸５２において、前記スライド支持台４６の両側面部と前記一対の支持部材５３との間の部分には、それぞれ回動円板５４が配設されている。前記回動支点軸５２と各回動円板５４とは、キー５５によって一体に連結されている。そして、各回動円板５４の所定の位置には、スライドコアＳ2 をスライドさせるための長孔５４ａが、その半径方向に沿って設けられている。また、前記スライド支持台設置面４７において、各回動円板５４が配設されている部分には、各回動円板５４の逃し部４７ａが設けられている。
【００４１】
図８に示されるように、第２成形型Ｋb2の正面側の壁面部で、回動支点軸５２と相対向する部分には、油圧モータＭが装着されている。この油圧モータＭは、そのモータ軸５６の軸心が、前記回動支点軸５２の軸心と同一になるように装着されていて、前記モータ軸５６と前記回動支点軸５２とは、キー５７によって一体に連結されている。このため、油圧モータＭを作動させて、そのモータ軸５６を所定の方向に回転させると、一対の支持部材５３に支承された各回動円板５４が同方向に回動される。
【００４２】
次に、スライドコアＳ2 について説明する。このスライドコアＳ2 の概略形状は、ねじ軸Ｂの挿入セット孔１５が１つであることと、傾斜ピン挿通孔１６が存しないことを除いて、参考例のスライドコアＳ1 とほぼ同一である。そして、スライドコアＳ2 における幅方向のほぼ中央部の底面部には、断面Ｔ字状のガイド溝部５８が、そのスライド方向Ｐ2 に沿って設けられている。このガイド溝部５８には、ガイド部材４９が僅かな隙間をもって嵌合される。このスライドコアＳ2 は、参考例のスライドコアＳ1 と全く同様にして、スライド支持台４６の傾斜ガイド面４６ａ上を、スライド方向Ｐ2 に沿ってスライドされる。このとき、スライド支持台４６に取付けられたガイド部材４９が、スライドコアＳ2 のガイド溝部５８に嵌合されているため、該スライドコアＳ2 は一直線にスライドされる。
【００４３】
また、前記スライドコアＳ2 における後部の両側面から、一対の回動支持ピン５９が同心にして突設されている。各回動支持ピン５９の先端部は、対応する回動円板５４の長孔５４ａに挿通されている。油圧モータＭを作動させ、そのモータ軸５６を回転させると、一対の回動円板５４が同方向に回動される。各回動円板５４と、スライドコアＳ2 とは一対の回動支持ピン５９によって連結されているため、前記スライドコアＳ2 が、スライド方向Ｐ2 に沿ってスライドされる（後述）。
【００４４】
本発明の実施形態の射出成形装置Ａ2 の作用について説明する。一対の成形型Ｋa2，Ｋb2とスライドコアＳ2 とによって形成されるキャビティＣに溶融樹脂Ｗを射出して、ねじ軸本体部３が突き出した成形品Ｑを成形するときの作用と、起立状態のスライドコアＳ2 の挿入セット孔１５に、ねじ軸Ｂを挿入するときの作用は、参考例の射出成形装置Ａ1 の場合と全く同様であるため、ここでは、スライドコアＳ2 をスライドさせるときの作用についてのみ説明する。図７に示されるように、一対の成形型Ｋa2，Ｋb2と、前進端位置に配置されたスライドコアＳ2 とによって形成されたキャビティＣに溶融樹脂Ｗが射出される。前記溶融樹脂Ｗが冷却して、ねじ軸Ｂのねじ軸本体部３が突き出した形態で組み込まれた成形品Ｑが成形される。一対の成形型Ｋa2，Ｋb2を相互に離隔させる。本実施形態の場合、参考例と同様に、上側の第１成形型Ｋa2に対して、下側の第２成形型Ｋb2が下降する。
【００４５】
続いて、図１０に示されるように、油圧モータＭを作動させ、そのモータ軸５６を、正面視における時計回りの方向Ｐ3 に低速で回転させる。それに伴い、回動支点軸５２と一対の回動円板５４が、同方向Ｐ3 に回動される。ここで、回動支点軸５２は、スライド支持台４６に対して自由回転可能であるため、前記スライド支持台４６は、そのままの状態（スライド支持台設置面４７に設置された状態）を保持する。そして、前記回動円板５４は、各回動支持ピン５９により、スライドコアＳ2 と連結されている。しかも、該スライドコアＳ2 は、そのガイド溝部５８に嵌合されたガイド部材４９により、スライド方向Ｐ2 以外の方向への動きが拘束されている。このため、各回動円板５４が時計回りの方向Ｐ3 に回動されると、スライドコアＳ2 は、スライド方向Ｐ2 に沿って引き下げられる。こうすることによって、成形品ＱとスライドコアＳ2 とが分離される。そして、スライドコアＳ2 の後端面４８がスライド支持台４６のストッパ面４６ｂに当接して停止される。即ち、スライドコアＳ2 は、後退端位置に配置される。そして、第２成形型Ｋb2に保持されていた成形品Ｑは、プッシュピン２３が突き出されることによって、前記第２成形型Ｋb2から離型され、排出される。
【００４６】
この状態で、更に油圧モータＭのモータ軸５６を時計回りの方向Ｐ3 に回転させる。一対の回動円板５４は、スライドコアＳ2 を更に押し下げようとする。該スライドコアＳ2 は後退端位置に配置されているため、それ以上スライド不能であるが、スライド支持台４６が回動支点軸５２に対して自由回転可能であるため、スライドコアＳ2 はスライド支持台４６と一体になって、時計回りの方向Ｐ3 に回動される。そして、図１１に示されるように、スライドコアＳ2 は、起立状態（即ち、その前端面４５が、ほぼ水平になった状態）となって停止する。このとき、スライドコアＳ2 の前端面４５の周囲には、ねじ軸Ｂを挿入セットさせるための大きな挿入空間部Ｖが形成される。また、前記スライドコアＳ2 は、そのガイド溝部５８にガイド部材が嵌合されているため、該スライドコアＳ2 がスライド支持台４６から落下するおそれはない。
【００４７】
参考例の場合と全く同様にして、スライドコアＳ2 の挿入セット孔１５にねじ軸Ｂが挿入セットされると、油圧モータＭのモータ軸５６が反時計回りの方向に回転され、一対の回動円板５４が同方向に回動されることにより、一対の回動支持ピン５９を介してスライドコアＳ2 をスライド方向Ｐ2 に沿って押し上げ、前進端位置に配置させる。
【００４８】
この実施形態の射出成形装置Ａ2 では、スライドコアＳ2 を回動させるための駆動力は、油圧モータＭである。そして、前記スライドコアＳ2 の回動は、成形品Ｑを突き出す工程と独立して行うことができる。このため、参考例の射出成形装置Ａ1 と比較して、プッシュピン２３のストロークが僅かで済む。また、第１成形型Ｋa2には、傾斜ピン１２が取付けられていない。このため、一対の成形型Ｋa2，Ｋb2を離隔させたときの間隔を、成形品Ｑが排出できて、かつ、ねじ軸Ｂを把持したロボットのハンド４４を入り込ませることができるだけの最小限に設定することができる。この結果、参考例の射出成形装置Ａ1 の利点に加えて、一対の成形型Ｋa2，Ｋb2を開閉するための時間を短くすることができ、成形品Ｑを成形するためのサイクルタイムを短くすることができる。
【００４９】
本発明の実施形態の射出成形装置Ａ2 を構成する一対の成形型Ｋa2，Ｋb2を複数個使用して、成形のサイクルタイムを、更に短縮させる場合について説明する。これは、図１２に示されるように、溶融樹脂Ｗの射出成形工程と、ねじ軸Ｂの挿入セット工程とを別々に行わせる場合である。即ち、ベース体６１に、旋回テーブル６２が支持されている。この旋回テーブル６２は、前記ベース体６１に内装された回転手段（図示せず）により、水平面内で低速回転される。この旋回テーブル６２の両側の上面には、固定型である同一の第２成形型Ｋb2が配設されていて、固定型ユニットＵが形成されている。そして、前記旋回テーブル６２の一方側（射出成形位置Ｒ1 ）には、前記第２成形型Ｋb2に相対向して、可動型である第１成形型Ｋa2が配設されている。前記第１成形型Ｋa2は、図示しない手段により、上下方向（一対の成形型Ｋa2，Ｋb2の開閉方向Ｐ1 ）に沿って昇降可能である。
【００５０】
この装置の作用について説明する。射出成形位置Ｒ1 において、第１成形型Ｋa2が、旋回テーブル６２の一端部に取付けられた第２成形型Ｋb2に接近し、一対の成形型Ｋa2，Ｋb2が閉じられる。射出ノズル１８から射出された溶融樹脂Ｗが、キャビティＣに供給され、ねじ軸Ｂのねじ軸本体部３を突き出した成形品Ｑが成形される。このとき、旋回テーブル６２の他方側（ねじ軸Ｂの挿入セット位置Ｒ2 ）においては、第２成形型Ｋb2に取付けられた油圧モータＭを作動させ、そのモータ軸５６が時計回りの方向Ｐ3 に回転される。すると、スライドコアＳ2 が回動され、起立状態となる。このスライドコアＳ2 に、ねじ軸Ｂを把持したロボットのハンド４４が接近し、該スライドコアＳ2 に設けられた挿入セット孔１５に、前記ねじ軸Ｂのフランジ部２とねじ軸本体部３を挿入する。油圧モータＭのモータ軸５６が、反対方向に回転されることによりスライドコアＳ2 の前端面４５が、第２成形型Ｋb2のストッパ面２６に当接して停止される。
【００５１】
射出成形位置Ｒ1 における射出成形が終了すると、第１成形型Ｋa2が上昇され、一対の成形型Ｋa2，Ｋb2の間に所定の間隔が形成される。そして、プッシュピン２３により、成形品Ｑが第２成形型Ｋb2から離型され、排出される。続いて、ベース体６１に内装された回動手段により、旋回テーブル６２が半回転され、予め、スライドコアＳ2 にねじ軸Ｂが挿入セットされた第２成形型Ｋb2が、射出成形位置Ｒ1 （第１成形型Ｋa2の直下）に配置されると共に、スライドコアＳ2 からねじ軸Ｂが抜き取られた第２成形型Ｋb2が、挿入セット位置Ｒ2 に配置される。そして、射出成形位置Ｒ1 では一対の成形型Ｋa2，Ｋb2に溶融樹脂Ｗが射出されると共に、挿入セット位置Ｒ2 では、スライドコアＳ2 にねじ軸Ｂが挿入される。
【００５２】
上記したように、この装置では、成形品Ｑの射出成形作業と、ねじ軸Ｂの挿入セット作業とを平行して行うことができる。一般に、この種の装置では、成形品Ｑを射出成形するための時間（射出成形時間ｔ1 ）よりも、スライドコアＳ2 にねじ軸Ｂを挿入セットするための時間（挿入セット時間ｔ2 ）の方が長い。もし、１基の成形型Ｋa2，Ｋb2により、成形品Ｑを射出成形する場合、１回のサイクルタイムは、前記射出成形時間ｔ1 と前記挿入セット時間ｔ2 の合計となる。ところが、本装置の場合、成形品Ｑの射出成形工程と、ねじ軸Ｂの挿入セット工程が同時に行われるため、前記射出成形時間ｔ1 と前記挿入セット時間ｔ2 がほぼ同一と仮定すると、１回のサイクルタイムは、ほぼ半分となる。これは、成形品Ｑの生産効率が、ほぼ２倍になることを意味している。
【００５３】
上記した装置を構成する固定型ユニットＵは、１基の第１成形型Ｋa2（可動型）と、２基の第２成形型Ｋb2（固定型）が配設された場合である。しかし、前記第２成形型Ｋb2が、複数基であっても構わない。こうすることにより、１回のサイクルタイムは射出成形時間ｔ1 のみとなり、更なる効率化が図られる。そして、第２成形型Ｋb2を、射出成形位置Ｒ1 から挿入セット位置Ｒ2 に変えるための手段は、上記した旋回テーブル６２を回動させる以外に、固定型ユニットＵをスライドさせても構わない。
【００５４】
本明細書では、スライドコアＳ1,Ｓ2 が下側の第２成形型Ｋb1，Ｋb2に取付けられた場合について説明した。しかし、前記スライドコアＳ1,Ｓ2 は、一対の成形型Ｋa1，Ｋb1，Ｋa2，Ｋb2のうちのいずれに配設されていても構わない。また、スライドコアＳ1,Ｓ2 のスライド方向Ｐ2 は、一対の成形型Ｋa1，Ｋb1，Ｋa2，Ｋb2の開閉方向Ｐ1 と交差する方向、即ち、前記開閉方向Ｐ1 と平行でなければいかなる方向にスライドする形態であっても構わない。
【００５５】
参考例、及び本発明の実施形態では、第１成形型Ｋa1，Ｋa2に対して、第２成形型Ｋb1，Ｋb2が移動する形態である。しかし、いずれの成形型が移動する形態であっても構わない。
【００５６】
【発明の効果】
本発明に係る一部突出インサート体を備えた成形品の射出成形装置は、一対の成形型と、該一対の成形型のいずれか一方に取付けられ、それらの開閉方向と交差する方向にスライドするスライドコアとから成り、前記スライドコアは、インサート体の突出部となる部分を挿入セットするための挿入セット孔がキャビティ成形面に開口し、かつ、前記スライドする方向に沿って形成された射出成形装置を使用して、前記インサート体の少なくとも一部が外部に突き出した形態で成形品本体にインサート成形された成形品を射出成形する方法であって、前記スライドコアは、その後退端位置において挿入セット孔が前記一対の成形型の開閉方向にほぼ沿うように回動可能に構成されていて、該スライドコアの挿入セット孔が前記開閉方向にほぼ沿った姿勢で、該挿入セット孔に前記インサート体を挿入セットされる。即ち、インサート体が挿入セットされる際のスライドコアの周囲に、大きな挿入空間部が形成された状態でインサート体が挿入セットされる。このため、インサート体を挿入セットさせる作業が容易になると共に、確実に挿入セットでき、射出成形作業の効率化が図られる。また、スライドコアは、駆動モータによって正逆回動されて、前記スライドコアの回動が、プッシュピンの作動から独立して行われるため、一対の成形型が開いたときの間隔を最小にすることができ、成形のサイクルタイムが短くなる。
【図面の簡単な説明】
【図１】  参考例の射出成形装置Ａ1 の正面断面図である。
【図２】  第２成形型Ｋb1の平面図である。
【図３】  同じく側面断面図である。
【図４】  一対の成形型Ｋa1，Ｋb1を開いて、ねじ軸Ｂのねじ軸本体部３とスライドコアＳ1 とを分離させる状態の作用説明図である。
【図５】  スライドコアＳ1 を後退端位置に配置させた状態の作用説明図である。
【図６】  スライドコアＳ1 を回動させて、ねじ軸Ｂを挿入セットさせる状態の作用説明図である。
【図７】  本発明の実施形態の射出成形装置Ａ2 の正面断面図である。
【図８】  第２成形型Ｋb2の平面図である。
【図９】  同じく側面断面図である。
【図１０】  一対の成形型Ｋa2，Ｋb2を開いて、ねじ軸Ｂのねじ軸本体部３とスライドコアＳ2 とを分離させる状態の作用説明図である。
【図１１】  スライドコアＳ2 を回動させて、ねじ軸Ｂを挿入セットさせる状態の作用説明図である。
【図１２】  溶融樹脂Ｗの射出成形工程と、ねじ軸Ｂの挿入セット工程とを別々に行う射出成形装置の模式図である。
【図１３】  （イ）は、成形品Ｑの平面図であり、（ロ）は、同じく正面断面図である。
【図１４】  従来の射出成形装置Ａ’で、成形品Ｑを射出成形する場合の作用説明図である。
【図１５】  同じく、一対の成形型Ｋa'，Ｋb'を開いた状態を示す図である。
【符号の説明】
Ａ1,Ａ2 ：射出成形装置
Ｂ：ねじ軸（インサート体）
Ｃ：キャビティ
Ｋa1, Ｋa2：第１成形型（可動型）
Ｋb1, Ｋb2：第２成形型（固定型）
Ｍ：油圧モータ（駆動モータ）
Ｐ1 ：開閉方向
Ｐ2 ：スライド方向（交差する方向）
Ｑ：成形品
Ｒ1 ：射出成形位置
Ｒ2 ：挿入セット位置
Ｓ1,Ｓ2 ：スライドコア
Ｕ：固定型ユニット
Ｗ：溶融樹脂
１：成形本体部（成形品本体）
２：フランジ部（突出部）
３：ねじ軸本体部（突出部）
１１：キャビティ成形面
１５：挿入セット孔
１８：射出ノズル
２３：プッシュピン
３７：押出ロッド（作動ロッド）
６２：旋回テーブル
【図１】
0003892337.tif 000002
【図２】
0003892337.tif 000003
【図３】
0003892337.tif 000004
【図４】
0003892337.tif 000005
【図５】
0003892337.tif 000006
【図６】
0003892337.tif 000007
【図７】
0003892337.tif 000008
【図８】
0003892337.tif 000009
【図９】
0003892337.tif 000010
【図１０】
0003892337.tif 000011
【図１１】
0003892337.tif 000012
【図１２】
0003892337.tif 000013
【図１３】
0003892337.tif 000014
【図１４】
0003892337.tif 000015
【図１５】
0003892337.tif 000016